(57)【特許請求の範囲】
【請求項１】
円弧面をなす底面が基台上に摺動可能に支持されて、円弧面の円弧中心回りに旋回傾動可能な傾動フレームと、傾動フレームを、その平面状の上面が水平姿勢から所定の傾斜姿勢になるまでの間で傾動駆動する駆動シリンダと、傾動フレームの上面に直交姿勢で自軸回りに回転可能に立設されその外周面が所定断面の鍛造面に成形された芯金と、芯金を回転駆動する回転駆動手段とを備え、かつ前記芯金の周囲に配設され周壁の一部が前記芯金に当接してこれに係止されて前記芯金の回転と共に回転するリング状鍛造ワークの、前記芯金への係止部とは反対側の周壁部分が載置されて当該周壁部分の移動方向と同方向へ回転させられるローラ部材を備える傾斜回転鍛造装置。
【請求項２】
前記芯金の周囲に配設され周壁の一部が前記芯金に当接してこれに係止されて前記芯金の回転と共に回転するリング状鍛造ワークの、前記周壁の外周面に当接してリング状鍛造ワークの振れを防止する振れ防止手段をさらに備える請求項１に記載の傾斜回転鍛造装置。
【発明の詳細な説明】
【技術分野】
【０００１】
本発明は傾斜回転鍛造装置に関し、特に、リング状鍛造ワークを製造するのに適した、傾動フレーム上に芯金を回転可能に立設した構造の傾斜回転鍛造装置に関する。
【背景技術】
【０００２】
この種の傾斜回転鍛造装置が特許文献１に示されている。本文献に示された傾斜回転鍛造装置は、円弧面をなす底面が基台上に摺動可能に支持されて旋回傾動する傾動フレームを備えており、当該傾動フレーム上に回転自在に立設された芯金を、ユニバーサルジョイントで駆動軸に連結した構造としてある。このような構造により、駆動軸を軸方向へ直線前後動させて傾動フレームを押し引きすることによってその傾動角度を変更するとともに、上記駆動軸を回転させて芯金とその外周に嵌装したリング状鍛造ワークを回転移動させて、プレスポンチで上記鍛造ワークを最終製品に近い形状まで成形している。
【先行技術文献】
【特許文献】
【０００３】
【特許文献１】特許第３７１２５２４号公報
【発明の概要】
【発明が解決しようとする課題】
【０００４】
しかし、上記従来の傾斜回転鍛造装置では、上述のようにユニバーサルジョイント構造によって芯金の回転と傾動フレームの旋回傾動を行っており、このため回転力の効率的な伝達を確保するにはユニバーサルジョイントの連結角度を適当な角度範囲に制限する必要がある。したがって、特にユニバーサルジョイントの連結角度が９０度近くになる、傾動フレーム上面を水平、すなわち芯金を垂直にした状態での鍛造は困難であり、リング状鍛造ワークの周壁の一部に鍛造できない部分が生じるという問題があった。
【０００５】
そこで、本発明はこのような課題を解決するもので、上面が水平の状態から広い傾斜角度範囲で傾動フレームを旋回傾動させて鍛造を行なうことができる傾斜回転鍛造装置を提供することを目的とする。
【課題を解決するための手段】
【０００６】
上記目的を達成するために、本第１発明では、円弧面をなす底面（１２ａ）が基台（２）上に摺動可能に支持されて、円弧面の円弧中心（Ｃ）回りに旋回傾動可能な傾動フレーム（１）と、傾動フレーム（１）を、その平面状の上面（１１ａ）が水平姿勢から所定の傾斜姿勢になるまでの間で傾動駆動する駆動シリンダ（４）と、傾動フレーム（１）の上面（１１ａ）に直交姿勢で自軸回りに回転可能に立設されその外周面が所定断面の鍛造面（５ａ）に成形された芯金（５）と、芯金（５）を回転駆動する回転駆動手段（６）とを備え、かつ前記芯金（５）の周囲に配設され周壁の一部が前記芯金（５）に当接してこれに係止されて前記芯金（５）の回転と共に回転するリング状鍛造ワーク（Ｗ）の、前記芯金（５）への係止部とは反対側の周壁部分が載置されて当該周壁部分の移動方向と同方向へ回転させられるローラ部材８を備える。
【０００７】
本第１発明においては、油圧シリンダを使用したことにより、傾動フレームを水平から所定傾動角度までの広い角度範囲で旋回傾動させることができる。これによりリング状鍛造ワークの周壁全体を最終製品のそれに近い形状に成形することができる。また、リング状鍛造ワークの、係止部と反対側の周壁部分にローラ部材から回転力が付与されるから、上記鍛造ワークの回転がスムーズに行なわれる。
【０００８】
本第２発明では、前記芯金（５）の周囲に配設され周壁の一部が前記芯金（５）に当接してこれに係止されて、前記芯金（５）の回転と共に回転するリング状鍛造ワーク（Ｗ）の、前記周壁の外周面に当接してリング状鍛造ワーク（Ｗ）の振れを防止する振れ防止手段（７４）をさらに備える。
【０００９】
本第２発明においては、リング状鍛造ワークの回転時における振れが防止されるから、鍛造成形がスムーズに行なわれる。
【００１２】
上記カッコ内の符号は、後述する実施形態に記載の具体的手段との対応関係を示すものである。
【発明の効果】
【００１３】
以上のように、本発明の傾斜回転鍛造装置によれば、上面が水平の状態から広い傾斜角度範囲で傾動フレームを傾動させて、リング状鍛造ワークの周壁全体を最終製品のそれに近い形状に鍛造成形することができる。
【図面の簡単な説明】
【００１４】
【図１】本発明の一実施形態を示す傾斜回転鍛造装置の全体斜視図である。
【図２】傾動フレームを水平姿勢にした傾斜回転鍛造装置の全体側面図である。
【図３】傾動フレームを傾動姿勢にした傾斜回転鍛造装置の全体側面図である。
【発明を実施するための形態】
【００１５】
図１に傾斜回転鍛造装置の斜視図を示し、図２にはその側面図を示す。傾斜回転鍛造装置は傾動フレーム１を備えており、傾動フレーム１は厚肉平板状の天板１１とその下面両側に垂設された側板１２よりなる略逆Ｕ字断面となっている。各側板１２は下端底面１２ａが下方へ膨出する円弧面をなしており、これら底面１２ａが、基台２上の両側縁に立設された支持板（一方のみ示す）２１上にそれぞれ載置されている。すなわち、各支持板２１の上端面は大部分が、上記側板１２の底面１２ａに倣って凹陥する円弧面となっており、上記上端面に公知の構造で側板１２の下端底面１２ａが摺動可能に支持されている。なお、上記基台２は移動テーブル３上に設置されている。
【００１６】
上記支持板２１の一端部間にはバルブスタンド４２の下方に一対の油圧式駆動シリンダ４が並設されて、その中間位置が支持板２１間に上下方向へ回動できるように支持されている。上記各駆動シリンダ４のロッド４１は斜め上方へ延びて、傾動フレーム１の天板１１下面に突設されたブラケット１１１（図２）に連結されており、各駆動シリンダ４のロッド４１が進出すると傾動フレーム１は、その円弧中心Ｃ回りに図２における時計方向へ旋回傾動させられる。反対に上記各駆動シリンダ４のロッド４１が後退すると傾動フレーム１は反時計方向へ旋回傾動させられる（図３参照）。上記各ロッド４１が進出端にある図２に示す状態では、傾動フレーム１は天板１１の上面１１ａが水平姿勢になっており（傾動角度０度）、この状態で傾動フレーム１は図略のストッパに当接して、これ以上の時計方向への旋回が規制されている。
【００１７】
天板１１上には円形の回転テーブル９が設置されており、その中心には芯金５が立設されている。芯金５はなだらかに傾斜する裾を有する山形に成形された柱体で、その外周面５ａは、リング状鍛造ワークＷの最終製品内周面に倣った所定断面の鍛造面となっている。回転テーブル９の外周下半には全周に、歯型を形成したラック９１が設けられており、天板１１の一端に設けられた回転駆動手段としての油圧モータ６の、回転軸先端に固定されたピニオン歯車６１が上記ラック９１の歯形に噛合して、回転テーブル９、すなわち芯金５がその自軸回りに回転させられる。この際の回転テーブル９の回転角度は、図略のワイヤ式エンコーダによって誤差１度以下の精度で検出されている。
【００１８】
リング状鍛造ワークＷは図１、図２に示すように芯金５の周囲の回転テーブル９上に載置される。傾動フレーム１の一方の側板１２には、これに沿い天板１１と直交して上方へ延びる支持シャフト７１が設けられており、支持シャフト７１はシリンダ７２(図２)によって軸周りに回転させられるとともに、シリンダ７３によって軸方向へ前後動させられるようになっている。支持シャフト７１の先端には、鍛造ワークＷの外周に沿うように湾曲して天板１１の上面１１ａに平行に延びる振れ防止手段とての補助アーム７４の基端が固定されている。また、天板１１の他端に近接させて側板１２間に、回転駆動される一対のローラ８が設けられており、これらローラ８の上側面は回転テーブル９の上面とほぼ等しい高さに位置している。
【００１９】
上記構造の傾斜回転鍛造装置でリング状鍛造ワークＷの成形をする場合には、当該鍛造ワークＷを芯金５周りの回転テーブル９上に載せた後、駆動シリンダ４のロッド４１を必要量後退させて、図３に示すように、傾動フレーム１をその傾動角度αが所定の角度になるまで旋回傾動させる。このようにすると、リング状鍛造ワークＷは周壁の一部が芯金５に当接してこれに係止されるとともに、鍛造ワークＷの周壁の、係止部とは反対側の部分がローラ８上に位置させられる。
【００２０】
この状態で、上方よりリング状鍛造ワークＷの周壁外周に向けてプレスポンチＰを下降させて、プレスポンチＰと芯金５の鍛造面５ａとの間に上記鍛造品Ｗの周壁を挟んでこれを所定形状に成形する。回転テーブル９を適当角度位置に回転させつつプレスポンチＰの上昇下降を繰り返すことによって、リング状鍛造ワークＷの周壁の同一高さ部分が全周で所定形状に成形される。なお、回転テーブル９の回転時にローラ８も同期して回転テーブル９と同方向へ回転駆動されることにより、回転テーブル９上のリング状鍛造ワークＷは芯金５に係止されつつ確実に回転テーブル９とともに回転させられる。さらにこの時、リング状鍛造ワークＷの周壁の外周面に補助アーム７４の先端を適宜当接させることによって、当該鍛造ワークＷの振れが防止される。
【００２１】
本実施形態では油圧シリンダを使用したことにより、傾動フレームを水平（０度）から７０度程度までの広い角度範囲で旋回傾動させることが可能である。これによりリング状鍛造ワークの周壁全体を最終製品のそれに近い形状に成形することができる。
【符号の説明】
【００２２】
１…傾動フレーム、１１…天板、１１ａ…天板上面（上面）、１２…側板、１２ａ…下端底面（底面）、２…基台、４…駆動シリンダ、５…芯金、６…油圧モータ（回転駆動手段）、 ７４…補助アーム（振れ防止手段）、８…ローラ（ローラ部材）、Ｃ…円弧中心、Ｗ…リング状鍛造ワーク。
【図１】
0005610937.tif 000002
【図２】
0005610937.tif 000003
【図３】
0005610937.tif 000004